(57)【要約】【課題】洗浄ノズルの先端面を効率よく洗浄することができる衛生洗浄装置を提供することを目的とする。【解決手段】ケーシングと、前記ケーシングに対して進退自在に設けられ、噴出口から水を噴射して使用者の身体を洗浄する洗浄ノズルと、前記洗浄ノズルを進退させ、前記洗浄ノズルが前記ケーシングから進出した動作位置にある状態と、前記洗浄ノズルが前記ケーシング内に後退した待機位置にある状態と、を切り替えるノズル駆動部と、前記洗浄ノズルが前記待機位置にあるときに前記噴出口から水を噴射して前記洗浄ノズル自身を洗浄する際に、前記噴出口から噴射された水に空気を混入させて見かけ上の流量を増加させる空気混入手段と、を備えたことを特徴とする衛生洗浄装置が提供される。【選択図】図３
2014047498.tif 000002
【特許請求の範囲】
【請求項１】
ケーシングと、
前記ケーシングに対して進退自在に設けられ、噴出口から水を噴射して使用者の身体を洗浄する洗浄ノズルと、
前記洗浄ノズルを進退させ、前記洗浄ノズルが前記ケーシングから進出した動作位置にある状態と、前記洗浄ノズルが前記ケーシング内に後退した待機位置にある状態と、を切り替えるノズル駆動部と、
前記洗浄ノズルが前記待機位置にあるときに前記噴出口から水を噴射して前記洗浄ノズル自身を洗浄する際に、前記噴出口から噴射された水に空気を混入させて見かけ上の流量を増加させる空気混入手段と、
を備えたことを特徴とする衛生洗浄装置。
【請求項２】
前記洗浄ノズルが前記待機位置にあるときに前記噴出口の上方を覆うカバー部をさらに備え、
前記空気混入手段は、前記カバー部に形成された滞留空間であって前記噴出口から噴射された水が滞留する滞留空間を有することを特徴とする請求項１記載の衛生洗浄装置。
【請求項３】
前記洗浄ノズルは、
おしり洗浄の際に使用されるおしり洗浄噴出口と、
ビデ洗浄の際に使用されるビデ洗浄噴出口と、
を有し、
前記滞留空間は、少なくとも、前記おしり洗浄噴出口の上方に形成されたことを特徴とする請求項２記載の衛生洗浄装置。
【請求項４】
前記滞留空間は、前記カバー部の内面であって前記洗浄ノズルの表面と対向する内面に形成された凹部を有し、
前記凹部は、前記噴出口から噴射された水が前記洗浄ノズルの側面に流れることを抑制する壁部を有することを特徴とする請求項２または３に記載の衛生洗浄装置。
【請求項５】
前記凹部は、前記洗浄ノズルの表面と対向する凹部内面を有し、
前記凹部内面と前記洗浄ノズルの表面との間の距離は、前記洗浄ノズルの先端部へ向かうと短くなることを特徴とする請求項４記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
近年、洗浄ノズルの清潔性に対する関心の高まりから、洗浄ノズルの側面および先端面を効率よく且つ効果的に洗浄する技術が求められている。
【０００３】
これに対して、洗浄ノズルの上面と対向するノズル洗浄室の内面が洗浄ノズルの外形に略沿った形状を有する衛生洗浄装置がある（特許文献１）。特許文献１に記載の衛生洗浄装置では、洗浄ノズルが収納されているときに、洗浄ノズルの吐水孔から吐水される洗浄水は、洗浄ノズルの側面を流れやすい。これにより、洗浄ノズルの側面は、効率よく且つ効果的に洗浄される。また、特許文献１に記載の衛生洗浄装置では、洗浄ノズルが収納されているときには、洗浄ノズルの先端面は、ノズル洗浄室の吐水孔よりも後方側に位置している。そのため、水が洗浄ノズルの先端面に直接吐水される。これにより、洗浄ノズルの先端面は、効率よく且つ効果的に洗浄される。
【０００４】
しかし、特許文献１に記載の衛生洗浄装置では、収納された状態の洗浄ノズルの先端面を、ノズル洗浄室の吐水孔よりも後方側に配置する必要がある。そのため、衛生洗浄装置の奥行き方向（前後方向）の長さがより長くなる。また、洗浄ノズルが収納された状態では、洗浄ノズルの後部の位置は、洗浄ノズルの前部の位置よりも高い。そのため、衛生洗浄装置の高さがより高くなる。これにより、衛生洗浄装置が大型化するという点においては、改善の余地がある。また、近年のコンパクト化デザインの傾向に逆行するという点においては、改善の余地がある。
【先行技術文献】
【特許文献】
【０００５】
【特許文献１】特開２０１２−６７５４３号公報
【発明の概要】
【発明が解決しようとする課題】
【０００６】
本発明は、かかる課題の認識に基づいてなされたものであり、洗浄ノズルの先端面を効率よく洗浄することができる衛生洗浄装置を提供することを目的とする。
【課題を解決するための手段】
【０００７】
第１の発明は、ケーシングと、前記ケーシングに対して進退自在に設けられ、噴出口から水を噴射して使用者の身体を洗浄する洗浄ノズルと、前記洗浄ノズルを進退させ、前記洗浄ノズルが前記ケーシングから進出した動作位置にある状態と、前記洗浄ノズルが前記ケーシング内に後退した待機位置にある状態と、を切り替えるノズル駆動部と、前記洗浄ノズルが前記待機位置にあるときに前記噴出口から水を噴射して前記洗浄ノズル自身を洗浄する際に、前記噴出口から噴射された水に空気を混入させて見かけ上の流量を増加させる空気混入手段と、を備えたことを特徴とする衛生洗浄装置である。
【０００８】
この衛生洗浄装置によれば、噴出口から噴射された水に空気が混入され、見かけ上の流量が増加する。そのため、噴出口から噴射された水は、洗浄ノズルの上面および側面だけでなく、先端面にまで、より多くの流量で流れる。そのため、洗浄ノズルの先端面は、より多くの流量の水で洗浄される。これによれば、少ない流量で効率よく洗浄ノズルの先端面を洗浄することができる。そして、先端面まで清潔な洗浄ノズルを提供することができる。
【０００９】
第２の発明は、第１の発明において、前記洗浄ノズルが前記待機位置にあるときに前記噴出口の上方を覆うカバー部をさらに備え、前記空気混入手段は、前記カバー部に形成された滞留空間であって前記噴出口から噴射された水が滞留する滞留空間を有することを特徴とする衛生洗浄装置である。
【００１０】
この衛生洗浄装置によれば、カバー部に滞留空間が形成されているため、噴出口から噴射された水は、滞留空間で一時的に滞留する。すると、空気が水に取り込まれ、噴射された水が泡沫状態となる。これにより、噴射された水の見かけ上の流量が増加する。これにより、噴射された水は、洗浄ノズルの先端面にまで流れやすい。そのため、洗浄ノズルの先端面まで洗浄することができる。
【００１１】
第３の発明は、第２の発明において、前記洗浄ノズルは、おしり洗浄の際に使用されるおしり洗浄噴出口と、ビデ洗浄の際に使用されるビデ洗浄噴出口と、を有し、前記滞留空間は、少なくとも、前記おしり洗浄噴出口の上方に形成されたことを特徴とする衛生洗浄装置である。
【００１２】
ビデ洗浄では、女性のデリケート部分が洗浄される。そのため、女性のデリケート部分に強い刺激が加わらないように、ビデ洗浄噴出口の径は、おしり洗浄噴出口の径よりも大きい。言い換えれば、おしり洗浄噴出口の径は、ビデ洗浄噴出口の径よりも小さい。そのため、ビデ洗浄噴出口から噴射された水と比較すると、おしり洗浄噴出口から噴射された水は、負圧を発生しやすい。そのため、ビデ洗浄噴出口から噴射された水と比較すると、おしり洗浄噴出口から噴射された水は、滞留空間において空気を混入しやすい。
【００１３】
この衛生洗浄装置によれば、少なくとも、滞留空間は、おしり洗浄噴出口の上方に形成されている。そのため、効率よく空気を水に混入させることができる。これにより、少ない流量で効率よく洗浄ノズルの先端面を洗浄することができる。
【００１４】
第４の発明は、第２または第３の発明において、前記滞留空間は、前記カバー部の内面であって前記洗浄ノズルの表面と対向する内面に形成された凹部を有し、前記凹部は、前記噴出口から噴射された水が前記洗浄ノズルの側面に流れることを抑制する壁部を有することを特徴とする衛生洗浄装置である。
【００１５】
この衛生洗浄装置によれば、噴出口から噴射された水は、滞留空間に形成された凹部の壁部により洗浄ノズルの側面に流れることを抑制される。そのため、噴出口から噴射された水は、洗浄ノズルの側面ではなく洗浄ノズルの上面を伝って先端面に流れやすい。これにより、噴出口から噴射されたより多くの水で、洗浄ノズルの先端面を洗浄することができる。
【００１６】
第５の発明は、第４の発明において、前記凹部は、前記洗浄ノズルの表面と対向する凹部内面を有し、前記凹部内面と前記洗浄ノズルの表面との間の距離は、前記洗浄ノズルの先端部へ向かうと短くなることを特徴とする衛生洗浄装置である。
【００１７】
この衛生洗浄装置によれば、凹部において空気が混入された水は、洗浄ノズルの先端面へ向かって流れやすい。そのため、噴出口から噴射されたより多くの水で、洗浄ノズルの先端面を洗浄することができる。
【発明の効果】
【００１８】
本発明の態様によれば、洗浄ノズルの先端面を効率よく洗浄することができる衛生洗浄装置が提供される。
【図面の簡単な説明】
【００１９】
【図１】本発明の実施の形態にかかる衛生洗浄装置を備えたトイレ装置を表す模式的斜視図である。
【図２】本実施形態のノズルユニットを表す模式的斜視図である。
【図３】待機状態の洗浄ノズルを表す模式的断面図である。
【図４】本実施形態のノズル洗浄室を表す模式的平面図である。
【図５】本実施形態のノズル洗浄室を表す模式的断面図である。
【図６】本実施形態のノズル洗浄室を表す模式的断面図である。
【図７】本実施形態のノズル洗浄室を表す模式的断面図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す模式的斜視図である。
【００２１】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２２】
ケーシング４００の内部には、便座２００に座った使用者の「おしり」などの洗浄を実現する身体洗浄機能部（例えばノズルユニット４７０（図２参照））などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの図示しない操作部を操作すると、洗浄ノズル４７３を便器８００のボウル８０１内に進出させることができる。なお、図１に表した衛生洗浄装置１００では、洗浄ノズル４７３がボウル８０１内に進出した状態を表している。
【００２３】
洗浄ノズル４７３は、略円柱状に形成されている。洗浄ノズル４７３の先端部には、ひとつあるいは複数のノズル噴出口（第１の噴出口）４７４が設けられている。そして、洗浄ノズル４７３は、その先端部に設けられたノズル噴出口４７４から水を噴射して、便座２００に座った使用者の「おしり」などを洗浄することができる。図１に表した衛生洗浄装置１００では、複数のノズル噴出口４７４が洗浄ノズル４７３の先端部に設けられている。例えば、ノズル噴出口４７４は、第１のノズル噴出口４７４ａと、第２のノズル噴出口４７４ｂと、第３のノズル噴出口４７４ｃと、を含む。例えば、第１のノズル噴出口４７４ａは、おしり洗浄の際に使用される噴出口（おしり洗浄噴出口）である。例えば、第２のノズル噴出口４７４ｂは、おしりを優しく洗浄する「やわらか洗浄」の際に使用される噴出口（おしり洗浄噴出口）である。例えば、第３のノズル噴出口４７４ｃは、ビデ洗浄の際に使用される噴出口（ビデ洗浄噴出口）である。本実施形態では、第１のノズル噴出口４７４ａと、第２のノズル噴出口４７４ｂと、第３のノズル噴出口４７４ｃと、が洗浄ノズル４７３の先端部に設けられた場合を例に挙げて説明する。
【００２４】
図２は、本実施形態のノズルユニットを表す模式的斜視図である。  
本実施形態のノズルユニット４７０は、ケーシング４００に内蔵されている。ノズルユニット４７０は、基台としての取付台４７５と、取付台４７５に支持された洗浄ノズル４７３と、洗浄ノズル４７３を移動させるノズル駆動部４７６と、洗浄ノズル４７３を洗浄するノズル洗浄室（カバー部）４８０と、を有する。洗浄ノズル４７３は、図２に表した矢印Ａのように、ベルトなどの伝動部材４７７を介してノズル駆動部４７６から伝達される駆動力により、取付台４７５に対して摺動自在に設けられている。すなわち、洗浄ノズル４７３は、洗浄ノズル４７３自身の軸方向（進退方向）に直進移動することができる。そして、洗浄ノズル４７３は、ケーシング４００および取付台４７５に対して進退自在に移動できる。洗浄ノズル４７３の形状は、例えば略円筒状である。
【００２５】
ノズル駆動部４７６は、洗浄ノズル４７３がケーシング４００から便器８００のボウル８０１内に進出した動作位置にある状態（動作状態）と、洗浄ノズル４７３がケーシング４００内に後退した待機位置にある状態（待機状態）と、を切り替えることができる。洗浄ノズル４７３がケーシング４００に収納され待機位置にある状態では、洗浄ノズル４７３の先端面４７３ｂは、ノズル洗浄室４８０の中にほぼ収容されている。つまり、洗浄ノズル４７３がケーシング４００に収納された待機位置にある状態では、ノズル噴出口４７４は、ノズル洗浄室４８０に覆われている。
【００２６】
ノズル洗浄室４８０は、取付台４７５に対して固定され、ケーシング４００の内部に設けられている。ノズル洗浄室４８０は、ノズル洗浄室４８０の外側に向かって突出した接続部４８８を有する。接続部４８８には、洗浄ノズル４７３を洗浄する水を供給する給水配管４５１が接続されている。ノズル洗浄室４８０は、洗浄ノズル４７３の進退時において洗浄室噴出口（第２の噴出口）４８９（図３参照）から水を吐水することにより、洗浄ノズル４７３の外観を洗浄することができる。具体的には、ノズル洗浄室４８０は、外周面（胴体）４７３ａやノズル噴出口４７４を洗浄することができる。
【００２７】
また、洗浄ノズル４７３が待機状態のときにノズル噴出口４７４から噴射された水は、例えばノズル洗浄室４８０の内面により反射して洗浄ノズル４７３の外周面４７３ａやノズル噴出口４７４にかかる。これにより、洗浄ノズル４７３の外周面４７３ａやノズル噴出口４７４は、洗浄ノズル４７３自身が噴射した水であって、ノズル洗浄室４８０の内面により反射した水によっても洗浄される。これについては、後に詳述する。
【００２８】
図２に表したノズルユニット４７０では、ノズル洗浄室４８０は、洗浄ノズル４７３の外周を囲んでいる。但し、ノズル洗浄室４８０は、洗浄ノズル４７３の外周を必ずしも囲んでいなくともよい。ノズル洗浄室４８０は、洗浄ノズル４７３が待機状態のときにおいて、ノズル噴出口４７４の上方を覆っていればよい。
【００２９】
図３は、待機状態の洗浄ノズルを表す模式的断面図である。  
図３は、図２に表した切断面Ｂ−Ｂにおける模式的断面図である。
【００３０】
ノズル洗浄室４８０は、第１の空気混入手段４８１と、第２の空気混入手段４８２と、空間部４８５と、を有する。第１の空気混入手段４８１と、第２の空気混入手段４８２と、空間部４８５と、は、ノズル洗浄室４８０の内部にそれぞれ形成されている。
【００３１】
第１の空気混入手段４８１は、例えば、第１のノズル噴出口４７４ａおよび第２のノズル噴出口４７４ｂの少なくともいずれかから噴射された水が滞留する第１の滞留空間４９１を有する。図３に表したノズル洗浄室４８０では、第１の空気混入手段４８１は、第１の滞留空間４９１である。第１の空気混入手段４８１は、洗浄ノズル４７３が待機状態のときにおいて、第１のノズル噴出口４７４ａおよび第２のノズル噴出口４７４ｂの少なくともいずれかの上方に形成されている。第１の滞留空間４９１は、ノズル洗浄室４８０の内面４８６に形成された第１の凹部４９３を有する。図３に表したノズル洗浄室４８０では、第１の滞留空間４９１は、第１の凹部４９３である。第１の凹部４９３が形成されたノズル洗浄室４８０の内面４８６は、洗浄ノズル４７３の外周面（表面）４７３ａと対向する。
【００３２】
第２の空気混入手段４８２は、例えば、第３のノズル噴出口４７４ｃから噴射された水が滞留する第２の滞留空間４９２を有する。図３に表したノズル洗浄室４８０では、第２の空気混入手段４８２は、第２の滞留空間４９２である。第２の空気混入手段４８２は、洗浄ノズル４７３が待機状態のときにおいて、第３のノズル噴出口４７４ｃの上方に形成されている。第２の滞留空間４９４は、ノズル洗浄室４８０の内面４８６に形成された第２の凹部４９４を有する。図３に表したノズル洗浄室４８０では、第２の滞留空間４９２は、第２の凹部４９４である。
【００３３】
空間部４８５は、例えば図３に表した矢印Ａ４のように洗浄ノズル４７３の先端部へ向かって流れてきた水を一時的に貯留（貯水）する第３の凹部４９５を有する。図３に表したノズル洗浄室４８０では、空間部４８５は、第３の凹部４９５である。空間部４８５（第３の凹部４９５）は、上面（第３の凹部の内面）４８５ｄを有する。上面４８５ｄは、ノズル洗浄室４８０の内面４８６からみて上方へ後退している。言い換えれば、空間部４８５の上面４８５ｃと洗浄ノズル４７３の外周面４７３ａとの間の距離は、ノズル洗浄室４８０の内面４８６と洗浄ノズル４７３の外周面４７３ａとの間の距離よりも長い。
【００３４】
図３に表した矢印Ａ１のように、洗浄ノズル４７３が待機状態のときに第１のノズル噴出口４７４ａから噴射された水は、第１の空気混入手段４８１に進入する。第１の空気混入手段４８１に進入した水は、第１の空気混入手段４８１において攪拌される。すると、第１の空気混入手段４８１に進入した水の内部に空気が混入し、泡沫が発生する。これにより、第１のノズル噴出口４７４ａから噴射された水の見かけ上の流量が増加する。
【００３５】
図３に表した矢印Ａ２のように、洗浄ノズル４７３が待機状態のときに第２のノズル噴出口４７４ｂから噴射された水は、第１の空気混入手段４８１に進入する。第１の空気混入手段４８１に進入した水は、第１の空気混入手段４８１において攪拌される。すると、第１の空気混入手段４８１に進入した水の内部に空気が混入し、泡沫が発生する。これにより、第２のノズル噴出口４７４ｂから噴射された水の見かけ上の流量が増加する。
【００３６】
図３に表した矢印Ａ３のように、洗浄ノズル４７３が待機状態のときに第３のノズル噴出口４７４ｃから噴射された水は、第２の空気混入手段４８２に進入する。第２の空気混入手段４８２に進入した水は、第２の空気混入手段４８２において攪拌される。すると、第２の空気混入手段４８２に進入した水の内部に空気が混入し、泡沫が発生する。これにより、第３のノズル噴出口４７４ｃから噴射された水の見かけ上の流量が増加する。
【００３７】
第１の空気混入手段４８１および第２の空気混入手段４８２のそれぞれにより見かけ上の流量が増加した水は、図３に表した矢印Ａ４のように、洗浄ノズル４７３の先端部へ向かって流れる。これにより、より多くの流量の水が、洗浄ノズル４７３の外周面４７３ａ（上面や側面など）および先端面４７３ｂを流れる。つまり、洗浄ノズル４７３が略円柱状であることから、各ノズル噴出口４７４から噴射された水は、洗浄ノズル４７３の先端部へ向かって流れる際に、洗浄ノズル４７３の外周面４７３ａの側方に流れやすくなる。但し、第１の空気混入手段４８１および第２の空気混入手段４８２により、見かけ上の流量が増大しているので、多くの流量の水が、先端面４７３ｂまで流れる。そのため、洗浄ノズル４７３の先端面４７３ｂは、より多くの流量の水で洗浄される。これによれば、少ない流量で効率よく洗浄ノズル４７３の先端面４７３ｂを洗浄することができる。そして、先端面４７３ｂまで清潔な洗浄ノズル４７３を提供することができる。
【００３８】
また、ノズル噴出口４７４および洗浄室噴出口４８９の少なくともいずれかから噴射された水であって、図３に表した矢印Ａ４のように洗浄ノズル４７３の先端部へ向かって流れた水は、空間部４８５に一時的に貯留される。つまり、洗浄ノズル４７３の先端部へ向かって流れた水は、空間部４８５に一時的に貯留されながら洗浄ノズル４７３の先端部へ向かって流れる。そのため、より多くの水が空間部４８５の壁面に沿って洗浄ノズル４７３の先端部へ向かって流れる。これにより、洗浄ノズル４７３の先端部へ向かう水は、洗浄ノズル４７３の側面（側方の面）へ流れ難い。そのため、洗浄ノズル４７３の先端面４７３ｂは、より多くの流量の水で洗浄される。
【００３９】
図３に表したように、空間部４８５は、洗浄室噴出口４８９からみて洗浄ノズル４７３の先端側に設けられている。そのため、洗浄室噴出口４８９から噴射された水は、洗浄ノズル４７３の先端面４７３ｂを効率よく洗浄することに寄与できる。
【００４０】
また、図３に表したように、洗浄ノズル４７３の外周面４７３ａは、曲率を有するラウンド部４７３ｃを介して洗浄ノズル４７３の先端面４７３ｂと接続されている。ラウンド部４７３ｃと外周面４７３ａとの接続部４７３ｄ（ラウンド部４７３ｃの外周面４７３ａの側の端部）は、空間部４８５の前壁面４８５ｃからみて後方側に位置する。これにより、ラウンド部４７３ｃが形成されていない場合と比較すると、洗浄ノズル４７３の表面を先端部へ向かって伝ってきた水は、洗浄ノズル４７３の先端面４７３ｂに流れやすい。そのため、洗浄ノズル４７３の先端面４７３ｂは、より多くの流量の水で洗浄される。
【００４１】
ビデ洗浄では、女性のデリケート部分が洗浄される。そのため、女性のデリケート部分に強い刺激が加わらないように、ビデ洗浄噴出口（第３のノズル噴出口４７４ｃ）の径は、おしり洗浄噴出口（第１のノズル噴出口４７４ａ）の径よりも大きい。言い換えれば、おしり洗浄噴出口の径は、ビデ洗浄噴出口の径よりも小さい。そのため、ビデ洗浄噴出口から噴射された水と比較すると、おしり洗浄噴出口から噴射された水は、負圧を発生しやすい。そのため、第３のノズル噴出口４７４ｃから噴射された水と比較すると、第１のノズル噴出口４７４ａから噴射された水は、第１の空気混入手段４８１（第１の滞留空間４９１）において空気を混入しやすい。
【００４２】
本実施形態では、前述したように、第１の空気混入手段４８１（第１の滞留空間４９１）は、洗浄ノズル４７３が待機状態のときにおいて、第１のノズル噴出口４７４ａおよび第２のノズル噴出口４７４ｂの少なくともいずれかの上方に形成されている。そのため、効率よく空気を水に混入させることができる。これにより、少ない流量で効率よく洗浄ノズル４７３の先端面４７３ｂを洗浄することができる。
【００４３】
図３に表したように、第１の空気混入手段４８１の上面４８１ｃ（第１の凹部４９１の内面：洗浄ノズル４７３の表面と対向する面）と、洗浄ノズル４７３の表面と、の距離は、洗浄ノズル４７３の先端部へ向かうと短くなる。言い換えれば、第１の空気混入手段４８１は、洗浄ノズル４７３の先端部へ向かうと洗浄ノズル４７３の表面へ近づく傾斜面を上面４８１ｃにおいて有する。
【００４４】
これにより、第１の空気混入手段４８１が前述した傾斜面を上面４８１ｃにおいて有していない場合と比較すると、第１の空気混入手段４８１において空気が混入された水は、洗浄ノズル４７３の先端面４７３ｂへ向かって流れやすい。そのため、第１のノズル噴出口４７４ａおよび第２のノズル噴出口４７４ｂの少なくともいずれかから噴射されたより多くの水で、洗浄ノズル４７３の先端面４７３ｂを洗浄することができる。
【００４５】
次に、ノズル噴出口から噴射された水の流れについて、図面を参照しつつさらに説明する。  
図４は、本実施形態のノズル洗浄室を表す模式的平面図である。  
図５〜図７は、本実施形態のノズル洗浄室を表す模式的断面図である。  
図４は、図２に表した矢印Ａ２１および図３に表した矢印Ａ２２の方向にみたときのノズル洗浄室を表す模式的平面図である。説明の便宜上、図４では、洗浄ノズル４７３を省略している。  
図５は、図４に表した切断面Ｄ−Ｄにおける模式的断面図である。  
図６は、図４に表した切断面Ｅ−Ｅにおける模式的断面図である。  
図７は、図４に表した切断面Ｆ−Ｆにおける模式的断面図である。  
なお、図３は、図４に表した切断面Ｃ−Ｃにおける模式的断面図である。
【００４６】
図４に表したように、第１の空気混入手段４８１は、ノズル洗浄室４８０の内部に形成されている。図５に表したように、第１の空気混入手段４８１は、凹形状を有する第１の凹部４９３として形成されている。第１の空気混入手段４８１の側方には、第１の側壁部４８１ａと、第２の側壁部４８１ｂと、が形成されている。
【００４７】
第１の空気混入手段４８１は、洗浄ノズル４７３が待機状態のときにおいて、第１のノズル噴出口４７４ａおよび第２のノズル噴出口４７４ｂの少なくともいずれかの上方に第１の滞留空間４９１として形成されている。そのため、第１のノズル噴出口４７４ａおよび第２のノズル噴出口４７４ｂの少なくともいずれかから噴射され第１の空気混入手段４８１に進入した水は、第１の滞留空間４９１で一時的に滞留する。すると、空気が水に取り込まれ、噴射された水が泡沫状態となる。これにより、噴射された水の見かけ上の流量が増加する。
【００４８】
図４に表した矢印Ａ１１および矢印Ａ１３のように、第１の空気混入手段４８１において空気が混入し見かけ上の流量が増加した水の一部は、洗浄ノズル４７３の先端部へ向かって流れる。一方、図４に表した矢印Ａ１２および矢印Ａ１４のように、第１の空気混入手段４８１において空気が混入し見かけ上の流量が増加した水の他の一部は、洗浄ノズル４７３の側方へ向かって流れる。
【００４９】
このとき、第１の側壁部４８１ａおよび第２の側壁部４８１ｂは、第１のノズル噴出口４７４ａおよび第２のノズル噴出口４７４ｂから噴射された水が洗浄ノズル４７３の側方（側面の方向）へ流れることを抑制する。そのため、図４に表した矢印Ａ１１および矢印Ａ１３のように、第１のノズル噴出口４７４ａおよび第２のノズル噴出口４７４ｂから噴射された水は、洗浄ノズル４７３の上面（上方の面）を伝って先端部へ流れやすい。これにより、第１のノズル噴出口４７４ａおよび第２のノズル噴出口４７４ｂから噴射されたより多くの水で、洗浄ノズル４７３の先端面４７３ｂを洗浄することができる。
【００５０】
図４に表したように、第２の空気混入手段４８２は、ノズル洗浄室４８０の内部に形成されている。図５に表したように、第２の空気混入手段４８２は、凹形状を有する第２の凹部４９４として形成されている。第２の空気混入手段４８２の前方には、前壁部４８２ａが形成されている。第２の空気混入手段４８２の後方には、後壁部４８２ｂが形成されている。
【００５１】
第２の空気混入手段４８２は、洗浄ノズル４７３が待機状態のときにおいて、第３のノズル噴出口４７４ｃの上方に第２の滞留空間４９２として形成されている。そのため、第３のノズル噴出口４７４ｃから噴射され第２の空気混入手段４８２に進入した水は、滞留空間４９２で一時的に滞留する。すると、空気が水に取り込まれ、噴射された水が泡沫状態となる。これにより、噴射された水の見かけ上の流量が増加する。
【００５２】
図４に表した矢印Ａ１５および矢印Ａ１６のように、第２の空気混入手段４８２において空気が混入し見かけ上の流量が増加した水の比較的多くの部分は、洗浄ノズル４７３の側方へ向かって流れる。また、洗浄室噴出口４８９から噴射された水の比較的多くの部分は、洗浄ノズル４７３の側方へ向かって流れる。これにより、第３のノズル噴出口４７４ｃおよび洗浄室噴出口４８９から噴射されたより多くの水で、洗浄ノズル４７３の外周面４７３ａを洗浄することができる。
【００５３】
図４に表したように、空間部４８５は、ノズル洗浄室４８０の内部に形成されている。図７に表したように、空間部４８５は、凹形状を有する第３の凹部４９５として形成されている。空間部４８５の側方には、第１の側壁面４８５ａと、第２の側壁面４８５ｂと、が形成されている。
【００５４】
ノズル噴出口４７４および洗浄室噴出口４８９の少なくともいずれかから噴射された水であって、例えば図４に表した矢印Ａ１１および矢印Ａ１３のように洗浄ノズル４７３の先端部へ向かって流れた水は、空間部４８５に一時的に貯留（貯水）される。つまり、洗浄ノズル４７３の先端部へ向かって流れた水は、空間部４８５に一時的に貯留されながら洗浄ノズル４７３の先端部へ向かって流れる。
【００５５】
このとき、第１の側壁面４８５ａおよび第２の側壁面４８５ｂは、空間部４８５に一時的に貯留された水が洗浄ノズル４７３の側方へ流れることを抑制する。そのため、より多くの水が第１の側壁面４８５ａおよび第２の側壁面４８５ｂに沿って洗浄ノズル４７３の先端部へ向かって流れる。これにより、空間部４８５に一時的に貯留された水は、洗浄ノズル４７３の側面へ流れ難い。そのため、洗浄ノズル４７３の先端面４７３ｂは、より多くの流量の水で洗浄される。
【００５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ノズルユニット４７０などが備える各要素の形状、寸法、材質、配置などや第１の空気混入手段４８１、第２の空気混入手段４８２、および空間部４８５の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５７】
１００ 衛生洗浄装置、  ２００ 便座、  ３００ 便蓋、  ４００ ケーシング、  ４０４ 着座検知センサ、  ４５１ 給水配管、  ４７０ ノズルユニット、  ４７３ 洗浄ノズル、  ４７３ａ 外周面、  ４７３ｂ 先端面、  ４７３ｃ ラウンド部、  ４７３ｄ 接続部、  ４７４ ノズル噴出口、  ４７４ａ 第１のノズル噴出口、  ４７４ｂ 第２のノズル噴出口、  ４７４ｃ 第３のノズル噴出口、  ４７５ 取付台、  ４７６ ノズル駆動部、  ４７７ 伝動部材、  ４８０ ノズル洗浄室、  ４８１ 第１の空気混入手段、  ４８１ａ 第１の側壁部、  ４８１ｂ 第２の側壁部、  ４８１ｃ 上面、  ４８２ 第１の空気混入手段、  ４８２ａ 前壁部、  ４８２ｂ 後壁部、  ４８５ 空間部、  ４８５ａ 第１の側壁面、  ４８５ｂ 第２の側壁面、  ４８５ｃ 前壁面、  ４８５ｄ 上面、  ４８６ 内面、  ４８８ 接続部、  ４８９ 洗浄室噴出口、  ４９１ 第１の滞留空間、  ４９２ 第２の滞留空間、  ４９３ 第１の凹部、  ４９４ 第２の凹部、  ４９５ 第３の凹部、  ８００ 便器、  ８０１ ボウル
【図１】
2014047498.tif 000003
【図２】
2014047498.tif 000004
【図３】
2014047498.tif 000005
【図４】
2014047498.tif 000006
【図５】
2014047498.tif 000007
【図６】
2014047498.tif 000008
【図７】
2014047498.tif 000009